(57)【要約】      （修正有）【課題】製造コストを抑えられる単純な構造で、通話、情報通信や写真撮影等の操作を様々な機種の携帯端末で滞りなく行うことができる携帯端末保護具を提供する。【解決手段】長手方向と短手方向を有する板状部材からなる携帯端末保護具１であって、板状部材は、長手方向の略中央部に短手方向と平行に設けられた第一折曲部１０を備え、板状部材は、第一折曲部を境に分けられた、携帯端末の表示部が設けられた表面側にかかる蓋面部１１と、携帯端末の裏面側と接する基底面部１２とを有し、基底面部は、第一折曲部と平行な第二折曲部１３を備え、基底面部は、第二折曲部を境に分けられた、第一折曲部寄りの端末非固定面部１４と、板状部材の端部寄りの端末固定面部１５とを有し、 端末固定面部は、携帯端末を保持するための粘着面を備え、板状部材の蓋面部側の端部（１７）と、端末固定面部側の端部（１８）とに、互いに牽引し合うように磁性体を備える。【選択図】図２
0003204680.tif 000002
【実用新案登録請求の範囲】
【請求項１】
長手方向と短手方向を有する板状部材からなる携帯端末保護具であって、
前記板状部材は、長手方向の略中央部に短手方向と平行に設けられた第一折曲部を備え、
前記板状部材は、前記第一折曲部を境に分けられた、携帯端末の表示部が設けられた表面側にかかる蓋面部と、携帯端末の裏面側と接する基底部とを有し、
前記基底部は、前記第一折曲部と平行な第二折曲部を備え、
前記基底部は、前記第二折曲部を境に分けられた、前記第一折曲部寄りの端末非固定面部と、前記板状部材の端部寄りの端末固定面部とを有し、
前記端末固定面部は、前記携帯端末を保持するための粘着面を備え、
前記板状部材の前記蓋面部側の端部と、前記端末固定面部側の端部とに、互いに牽引し合うように磁性体が備えられていることを特徴とする携帯端末保護具。
【請求項２】
請求項１に記載の携帯端末保護具において、
前記蓋面部の長手方向の略中央部周辺に、前記板状部材の短手方向と平行に、前記板状部材の前記端末固定面部側の端部に備えられた磁性体と互いに牽引し合うように、磁性体が備えられていることを特徴とする携帯端末保護具。
【請求項３】
請求項１又は請求項２のいずれか1項に記載の携帯端末保護具において、
前記蓋面部の、前記基底部を前記第二折曲部において折り曲げ前記第一折り曲げ部を延ばした状態にしたときに前記端末固定部側の端部と近接する位置に、前記端末固定部側の端部に備えられた磁性体と互いに牽引し合うように磁性体が備えられていることを特徴とする携帯端末保護具。
【請求項４】
請求項１乃至請求項３のいずれか1項に記載の携帯端末保護具において、
前記蓋面部の片面又は両面に、クレジットカードやキャッシュカードなどを挟みとめるカードフォルダー部が備えられていることを特徴とする携帯端末保護具。
【請求項５】
請求項１乃至請求項４のいずれか1項に記載の携帯端末保護具において、
前記端末固定面部の粘着面が備えられた面の裏面に、携帯端末充電器を保持する充電器保持手段が備えられていることを特徴とする携帯端末保護具。
【請求項６】
請求項１乃至請求項５のいずれか1項に記載の携帯端末保護具において、
前記板状部材の粘着面が備えられた面の裏面に、小銭を保持するコインケース部が備えられていることを特徴とする携帯端末保護具。
【考案の詳細な説明】
【技術分野】
【０００１】
本考案は、携帯端末を片手で操作しやすく、低コストで製作可能な携帯端末保護具に関する。
【背景技術】
【０００２】
スマートフォンは、携帯情報端末として、機器の表面の大半を占める画面に触れて操作を行い、またその画面に情報を表示する。この画面は、スマートフォンを地面に落とすなどして衝撃を加えられると、破損してしまい、機器操作も情報表示も困難になってしまうが、携帯端末を完全に覆うような構造では、通話、情報通信、写真撮影などの機能を十分に使いこなすことができないという問題があった。
【０００３】
このため、近年では、上述したような問題点を解決するために、スマートフォンの縦横および厚み寸法を上回る大きさであって、中間の折り曲げ自在な連接部を介してその片側に形成した略平坦な表面カバーと、他側に形成した略平坦な裏面カバーと、表面カバーと裏面カバーとの間に、一端を連接部付近に固定して折り曲げ自在の連接部とするとともに、その自由端を略平坦とし、該自由端面にスマートフォンを粘着剤等により取り付け可能としたスマートフォン取り付け板とからなり、該スマートフォン取り付け板は上方部がスマートフォンのカメラ撮影部や発光部、赤外線センサ送受光部等の使用時にそのままの状態において各機能を阻害しない構成としたことを特徴としたスマートフォン収納ケースが知られている（特許文献１等参照）。
【０００４】
すなわち、従来この種のスマートフォン収納ケースにおいて、特許文献１のスマートフォン収納ケースでは、外ケースでスマートフォン本体を保護するとともに、外ケースにレンズ孔等を設けることなくスマートフォンを装着したままで、スマートフォンのカメラ撮影や発光を可能にするようにしていた。
【先行技術文献】
【特許文献】
【０００５】
【特許文献１】実登３１９７７０９号公報
【考案の概要】
【考案が解決しようとする課題】
【０００６】
しかし、上述した従来のスマートフォン収納ケースでは、外ケースが自然に閉じてきてしまうときなどに操作に両手を使用する必要があり、また、構造が複雑なため、製作コストもかさむ上に、動画視聴の際などにスマートフォンスタンドとしての機能を備えていないという問題があった。
【０００７】
本考案はこのような事情に鑑みてなされたものであり、携帯端末を落下などの衝撃から保護することができ、携帯端末を片手で容易に操作することができ、単純な構造で製作コストを抑えることができる上に、スマートフォンスタンドとしても活用することができる携帯端末保護具を得ることを目的とする。
【課題を解決するための手段】
【０００８】
このような目的に応えるために本考案（請求項１記載の考案）に係る携帯端末保護具は、長手方向と短手方向を有する板状部材からなる携帯端末保護具であって、前記板状部材は、長手方向の略中央部に短手方向と平行に設けられた第一折曲部を備え、前記板状部材は、前記第一折曲部を境に分けられた、携帯端末の表示部が設けられた表面側にかかる蓋面部と、携帯端末の裏面側と接する基底部とを有し、前記基底部は、前記第一折曲部と平行な第二折曲部を備え、前記基底部は、前記第二折曲部を境に分けられた、前記第一折曲部寄りの端末非固定面部と、前記板状部材の端部寄りの端末固定面部とを有し、 前記端末固定面部は、前記携帯端末を保持するための粘着面を備え、前記板状部材の前記蓋面部側の端部と、前記端末固定面部側の端部とに、互いに牽引し合うように磁性体が備えられていることを特徴とする。
【０００９】
このように構成することにより、携帯端末を使用していない状態では、携帯端末が蓋面部と基底部に挟まれた状態で、前記蓋面部側の端部と、前記端末固定面部側の端部とに互いに牽引し合うように備えられた磁性体により、蓋部が容易に開かない構造となっているため、前記携帯端末保護具を装着した携帯端末を落下させたとしても、衝撃が減殺されて、容易に破損が発生しないようにすることができる。
【００１０】
また、通常通信機能を使用する際の携帯端末の長手方向を縦にした状態において、前記携帯端末保護具の蓋面部を開け、前記第一折曲部で携帯端末の操作画面の裏面側に折り返すと、蓋面部は自重により自然に戻ってくることはない上に、前記蓋面部側の端部と、前記端末固定面部側の端部とに互いに牽引し合うように備えられた磁性体により、前記蓋面部側の端部と前記基底部側の端部が磁着して蓋面部が開いた状態が安定するため、使用者は携帯端末を片手で容易に操作することができる。
【００１１】
さらに、前記蓋面部側の端部と前記基底部側の端部は磁着しているので、完全に固定されているわけではないので、前記蓋面部を開けて折り返し、使用者が基底部と蓋面部の間に指を入れて前記携帯端末保護具を保持しても、前記蓋面部側の端部と前記基底部側の端部が磁力により牽引し合っているため、使用者は、前記携帯端末を操作しながら、安定した状態で携帯端末保護具を保持することができるという効果もある。
【００１２】
本考案（請求項２記載の考案）に係る携帯端末保護具は、請求項１に記載の携帯端末保護具において、前記蓋面部の長手方向の略中央部周辺に、前記板状部材の短手方向と平行に、前記板状部材の前記端末固定面部側の端部に備えられた磁性体と互いに牽引し合うように、磁性体が備えられていることを特徴とする。
【００１３】
このように構成することにより、前記第一折曲部を前記蓋面部を開くように折り返し、第二折曲部も同じ方向に折り返して、前記端末固定面部側の端部が前記蓋面部の長手方向の略中央部に接するようにすると、前記端末固定面部側の端部に備えられた磁性体が前記蓋面部の長手方向の略中央部に備えられた磁性体と磁着して、携帯端末スタンドとして自立することができる。
【００１４】
本考案（請求項３記載の考案）に係る携帯端末保護具は、請求項１又は請求項２のいずれか1項に記載の携帯端末保護具において、前記蓋面部の、前記基底部を前記第二折曲部において折り曲げ前記第一折り曲げ部を延ばした状態にしたときに前記端末固定部側の端部と近接する位置に、前記端末固定部側の端部に備えられた磁性体と互いに牽引し合うように磁性体が備えられていることを特徴とする。
【００１５】
このように構成することにより、携帯端末の長手方法を横にして写真撮影を行うときに、前記端末固定部側の端部に備えられた磁性体と前記基底部を前記第二折曲部において折り曲げ前記第一折り曲げ部を延ばした状態にしたときに前記端末固定部側の端部と近接する位置に備えられた磁性体とが磁着して、前記蓋面部が安定した状態になるので、端末非固定面部が前記倦怠端末のカメラレンズをふさいでしまうようなことを防ぐことができる。
【００１６】
本考案（請求項４記載の考案）に係る携帯端末保護具は、請求項１乃至請求項３のいずれか1項に記載の携帯端末保護具において、前記蓋面部の片面又は両面に、クレジットカードやキャッシュカードなどを挟みとめるカードフォルダー部が備えられていることを特徴とする。
【００１７】
このように構成することにより、前記携帯端末を装着した前記携帯端末保護具を携帯する際に、同時にキャッシュカードやクレジットカード、あるいは定期券などを携帯することができる。
【００１８】
本考案（請求項５記載の考案）に係る携帯端末保護具は、請求項１乃至請求項４のいずれか1項に記載の携帯端末保護具において、前記端末固定面部の粘着面が備えられた面の裏面に、携帯端末充電器を保持する充電器保持手段が備えられていることを特徴とする。
【００１９】
このように構成することにより、長時間の外出時などに、携帯端末の電池切れを防ぐことができる。
【００２０】
本考案（請求項６記載の考案）に係る携帯端末保護具は、請求項１乃至請求項５のいずれか1項に記載の携帯端末保護具において、前記板状部材の粘着面が備えられた面の裏面に、小銭を保持するコインケース部が備えられていることを特徴とする。
【００２１】
このように構成することにより、前記携帯端末を装着した前記携帯端末保護具を携帯する際に、同時に小銭や小物を携帯することができる。
【考案の効果】
【００２２】
以上説明したように、本考案に係る携帯端末保護具によれば、携帯端末を落下などの衝撃から保護することができ、携帯端末を片手で容易に操作することができる。
【００２３】
また、本考案によれば、携帯端末保護具をスマートフォンスタンドとしても活用することができる。
【００２４】
特に、本考案によれば、構造が単純なため、製作コストを抑えることができるという利点がある。
【図面の簡単な説明】
【００２５】
【図１】本考案に係る携帯端末保護具の第一の実施形態を示し、携帯端末保護具を伸長した状態と、粘着面側を外側にして第一折曲部で折り畳んだ状態の斜視図である。
【図２】図１の携帯端末保護具の粘着面にスマートフォンを装着し、伸長した状態と、スマートフォンを装着した粘着面側を外側にして第一折曲部で折り畳んだ状態と、スマートフォンの操作画面側に蓋面部が被さるように第一折曲部で折り畳んだ状態の斜視図である。
【図３】図１の携帯端末保護具の粘着面にスマートフォンを装着し、スタンド状態に折り畳んだ状態の図である。
【図４】図１の携帯端末保護具の粘着面にスマートフォンを装着し、スマートフォンの長手方向を縦にして写真撮影を行う状態の斜視図である。
【図５】図１の携帯端末保護具の粘着面にスマートフォンを装着し、スマートフォンの長手方向を横にして写真撮影を行う状態の図である。
【図６】本考案に係る携帯端末保護具の第二の実施形態を示し、蓋面部の粘着面側の面に、カードフォルダー用の切り込みを備える状態の斜視図である。
【図７】本考案に係る携帯端末保護具の第三の実施形態を示し、基底部の粘着面の裏側の面に、充電器固定用のベルトを備える状態の斜視図である。
【図８】本考案に係る携帯端末保護具の第四の実施形態を示し、蓋面部の粘着面の裏側の面に、コインケースを備える状態の斜視図である。
【考案を実施するための形態】
【実施例１】
【００２６】
図１ないし図５は本考案に係る携帯端末保護具の一実施形態を示すものであり、これらの図において、全体を符号１で示すものは本発明を特徴づける携帯端末保護具である。
【００２７】
図１においてこれを簡単に説明すると、符号１は携帯端末保護具として、長手方向と短手方向を有する板状部材からなり、長手方向の略中央部に、短手方向と平行に設けられた第一折曲部１０を備える。前記板状部材は、前記第一折曲部１０を境に蓋面部１１と基底面部１２に分割され、前記基底面部１２には、携帯端末を装着するための粘着面１６が備えられている。ここで（ａ）は前記携帯端末保護具１を伸ばした状態、（ｂ）は前記携帯端末保護具を、前記第一位折曲部において、前記粘着面を備える面と反対側に折り返した状態の図である。
【００２８】
図２において、前記携帯端末保護具１に携帯端末３０を装着した状態を示す。ここで、（ａ）は、前記携帯端末保護具１を延ばした状態、（ｂ）は前記携帯端末保護具１を、前記第一位折曲部１０において、前記粘着面１６を備える面と反対側に折り返した状態、（ｃ）は、前記携帯端末保護具を、前記第一位折曲部において、携帯端末が装着された側の面の側に折り返した状態を示す。（ｂ）と（ｃ）において、前記携帯端末保護具１の前記蓋面部１１側の端部である蓋面部側端部１７の内部と前記携帯端末保護具１の前記基底面部１２側の端部である基底面部側端部１８の内部には、マグネットが互いに牽引し合うように備えられているので、前記携帯端末保護具１が（ｂ）のように開いた状態ででも、（ｃ）のように閉じた状態でも、前記蓋面部側端部１７と前期基底面部側端部１８とが磁着して、開いた状態や閉じた状態を安定させることができる。
【００２９】
図３において、（ａ）は前記携帯端末保護具１を、前記第一位折曲部１０において、携帯端末３０が装着された面と反対側に折り曲げ、前記基底面部１２に前記第一折曲部と平行に設けられた第二折曲部１３を、携帯端末３０が装着された面と反対側に折り曲げ、前記基底面部側端部１８を、前記蓋面部１１の長手方向の略中央部に接するようにして、自立させた状態を示す。（ｂ）は（ａ）の状態を真横から見た状態の構造略図で、基底面部側端部マグネット２０と蓋面部側端部マグネット２１とスタンド状態安定用マグネット２２が備えられた位置を示す。この状態で、基底面部側端部マグネット２０とスタンド状態安定用マグネット２２が磁着しているので、前記携帯端末保護具１は、スマートフォンホルダーとして安定して自立している。
【００３０】
図３の（ｃ）において、前記携帯端末３０を横にして装着した状態を示す。動画やワンセグ放送の受信を視聴する際は、前記携帯端末３０を横にした状態の方が画像が大きく表示されるので視聴しやすい。前記携帯端末３０は粘着面１６により前記携帯端末保護具１に装着されているので、前記携帯端末を自由な方向で装着することができる。
【００３１】
図４においては、前記携帯端末３０の長手方向を縦にして写真撮影を行う場合の状態を示す。（ａ）は前記携帯端末３０を装着していない状態を示す。前記蓋面部１１は自重により下にさがるので、自然に伸びてしまうことはない。前記粘着面１６に（ｂ）で示すように前記携帯端末３０を装着する。前記第二折曲部１３は（ｃ）に示すように、折り返したときに、スマートフォンカメラ３２に端末非固定面１４が覆いかぶさらないような位置に設けられる。
【００３２】
図５においては、前記携帯端末３０の長手方向を横にして写真撮影を行う場合の状態を示す。（ａ）は前記携帯端末３０の長手方向を横にした状態を真上から見た状態の構造略図で、基底面部側端部マグネット２０と撮影状態安定用マグネット２３とが磁着した状態を示す。この状態で、前記第二折曲部１３は、傾けても容易に開いてしまうことはない。（ｂ）は前記携帯端末３０の長手方向を横にした状態をスマートフォンカメラ３２を備える側から見た状態、（ｃ）は前記携帯端末３０の長手方向を横にした状態をスマートフォン操作画面を備える示側から見た状態を示す。
【実施例２】
【００３３】
図６は本考案に係る携帯端末保護具の他の実施形態を示すものであり、これらの図において、全体を符号１で示すものは本発明を特徴づける携帯端末保護具である。
【００３４】
図６において、蓋面部１１は、樹脂製板状芯材が合成皮革で包まれた構造であり、そこに約６０ｍｍの切り込みカードフォルダー用切り込み４０を入れることで、キャッシュカードやクレジットカード、あるいは定期券などを携帯することができる。
【実施例３】
【００３５】
図７は本考案に係る携帯端末保護具の他の実施形態を示すものであり、これらの図において、全体を符号１で示すものは本発明を特徴づける携帯端末保護具である。
【００３６】
図７において、（ａ）では基底面部１２の第二折曲部１３より基底面部側端部１８寄りである端末固定面部１５の粘着面１６の裏面側に、ベルト固定用金具５１により長さを調節できるベルト５０が備えられている状態を示す。（ｂ）ではスマートフォン充電器５２が前記ベルト５０により前記端末固定面部１５の粘着面１６の裏面側に装着され、前記端末固定面部１５の粘着面１６側に装着された携帯端末３０に、スマートフォン充電ケーブル５３を介して電気を供給している状態を示す。
【実施例４】
【００３７】
図８は本考案に係る携帯端末保護具の他の実施形態を示すものであり、これらの図において、全体を符号１で示すものは本発明を特徴づける携帯端末保護具である。
【００３８】
図８において、（ａ）では、携帯端末保護具１を伸ばした状態で蓋面部１１の粘着面１６の裏面側に、コインケース６０が備えられた状態を示す。（ｂ）では蓋面部１１を粘着面１６の側に折り曲げた状態を示す。
【００３９】
以上すべての実施例において、携帯端末３０は粘着面１６により携帯端末保護具１に装着されるので、製品ごとの形や大きさに合わせた嵌合器具などによって装着するものとは異なり、大きさがほぼ同じ携帯端末３０については、型式が異なっても使用が可能であり、２〜５種類のサイズの製品により、ほぼすべての携帯端末に対応することができるという利点がある。
【００４０】
以上の構成によれば、本考案に係る携帯端末保護具１により、製造コストを抑えることができる単純な構造で、通話、情報通信や写真撮影などの操作を様々な機種の携帯端末で滞りなく行うことができるスマートフォンカバーを提供することができる。
【００４１】
また、スマートフォンスタンドとして利用することもできる。
【００４２】
さらに、構造が単純なので、様々な機構を追加することにより、同時に様々な小物などを携帯することもできる。
【００４３】
なお、本考案は上述した実施の形態で説明した構造には限定されず、各部の形状、構造等を適宜変形、変更し得ることはいうまでもない。
【００４４】
例えば、板状部材の一部にハトメなどでストラップホールを設けることができる。
【００４５】
また、スマートフォン充電器を装着するベルトは、弾性によりスマートフォン充電器を押さえるゴムバンドでも、弾性部材で挟み込むような装着具でもよいし、袋状のポケットとしてもよい。
【産業上の利用可能性】
【００４６】
本考案の携帯端末保護具は、主としてスマートフォン用いられるものではあるが、携帯ゲーム機などにも使用することができるだけでなく、文房具や装身具などの小物で所定の広さの平面を有するものであれば、粘着面に装着して携帯することができる。これらもまた本考案の権利範囲である。
【符号の説明】
【００４７】
１      携帯電話保護具
１０    第一折曲部
１１    蓋面部
１２    基底面部
１３    第二折曲部
１４    端末非固定面部
１５    端末固定面部
１６    粘着面
１７    蓋面部側端部
１８    基底面部側端部
２０    基底面部側端部マグネット
２１    蓋面部側端部マグネット
２２    スタンド状態安定用マグネット
２３    撮影状態安定用マグネット
３０    スマートフォン
３１    スマートフォン操作画面
３２    スマートフォンカメラ
４０    カードフォルダー用切り込み
５０    ベルト
５１    ベルト固定用金具
５２    スマートフォン充電器
５３    スマートフォン充電ケーブル
６０    コインケース
【図１】
0003204680.tif 000003
【図２】
0003204680.tif 000004
【図３】
0003204680.tif 000005
【図４】
0003204680.tif 000006
【図５】
0003204680.tif 000007
【図６】
0003204680.tif 000008
【図７】
0003204680.tif 000009
【図８】
0003204680.tif 000010